(57)【特許請求の範囲】
【請求項１】
第１の信号方式を有する映像信号を入力する映像信号入力端子と、前記映像信号入力端子から入力する映像信号を第１の信号方式から第２の信号方式に変換する第２の変換手段と、前記第２の変換手段の出力を第４の端子に供給し前記映像信号入力端子から入力する映像信号を第５の端子に供給し第６の端子にはＥ‐Ｅ系の場合は前記第４の端子に供給される信号を出力し記録系の場合は前記第５の端子に供給される信号を出力するようになした信号切替手段と、前記信号切替手段の出力を磁気記録テープに記録する記録手段と、前記磁気記録テープに記録された記録信号を再生する再生手段と、前記再生手段の出力を第１の信号方式から第２の信号方式に変換する第１の変換手段と、前記信号切替手段の出力を第１の端子に供給し前記第１の変換手段の出力を第２の端子に供給し第３の端子にはＥ‐Ｅ系の場合は前記第１の端子に供給される信号を出力し再生系の場合は前記第２の端子に供給される信号を出力するようになした出力切替手段と、前記出力切替手段の出力を出力する映像信号出力端子とを備えた磁気記録再生装置。
【請求項２】
第１の信号方式を有する映像信号を入力する映像信号入力端子と、前記映像信号入力端子から入力する映像信号を第１の信号方式から第２の信号方式に変換する第２の変換手段と、前記映像信号入力端子から入力する映像信号を磁気記録テープに記録する記録手段と、前記磁気記録テープに記録された記録信号を再生する再生手段と、前記再生手段の出力を第１の信号方式から第２の信号方式に変換する第１の変換手段と、前記第２の変換手段の出力を第１の端子に供給し前記第１の変換手段の出力を第２の端子に供給し第３の端子にはＥ‐Ｅ系の場合は前記第１の端子に供給される信号を出力し再生系の場合は前記第２の端子に供給される信号を出力するようになした出力切替手段と、前記出力切替手段の出力を出力する映像信号出力端子とを備えた磁気記録再生装置。
【発明の詳細な説明】
【０００１】
【発明の属する技術分野】
本発明は、信号方式の切替ができる機能を備えた磁気記録再生装置に関するものである。
【０００２】
【従来の技術】
近年、磁気記録再生装置は接続機器の多様化、各種ソフトや放送についての信号方式のワールドワイド化に伴い、例えばＮＴＳＣ方式の信号をＰＡＬ方式の信号に変換してＰＡＬ方式用のＴＶで見たり、逆にＰＡＬ方式の信号をＮＴＳＣ方式の信号に変換してＮＴＳＣ方式用のＴＶで見たりする機能が要望されている。
【０００３】
以下に第１の従来の磁気記録再生装置の映像信号入出力部について図４を用いて説明する。図４は第１の従来の磁気記録再生装置の映像信号入出力部の構成を示すブロック図である。１は第１の信号方式を有する映像信号を入力する映像信号入力端子、２は変換前の第１の信号方式及び変換後の第２の信号方式を選択するための選択手段、３は選択手段２での選択内容出力である第１の制御信号、４は映像信号入力端子から入力する映像信号を後述する磁気記録テープ５に記録する記録手段、５は磁気記録テープ、６は磁気記録テープ５に記録された記録信号を再生する再生手段、７は第１の制御信号３の制御により再生手段６の出力を第１の信号方式から第２の信号方式に変換する第１の変換手段、８は映像信号入力端子から入力する映像信号を第１の端子であるａ端子に供給し第１の変換手段７の出力を第２の端子であるｂ端子に供給し第３の端子であるｃ端子にはＥ‐Ｅ系の場合はａ端子に供給する信号を出力し再生系の場合はｂ端子に供給する信号を出力するようになした出力切替手段、９は使用者の意思に基づき出力切替手段８での切替を制御する第２の制御信号、１０は出力切替手段８の出力を出力する映像信号出力端子である。
【０００４】
以下その動作について説明する。ここでは第１の信号方式をＮＴＳＣ方式、第２の信号方式を疑似ＰＡＬ方式、そして第３の信号方式を正規のＰＡＬ方式とする。ここで疑似ＰＡＬ方式とは、例えば、クロマバースト信号の構成は正規のＰＡＬ方式と同一だが、クロマ信号の構成あるいは垂直同期周波数あるいは水平同期周波数が正規のＰＡＬ方式と相違するものをいう。正規のＰＡＬ方式でなく疑似ＰＡＬ方式を用いる理由は、ＰＡＬ方式用のＴＶ等に表示しても画質として正規のＰＡＬ方式の信号を用いた場合と大差がないにもかかわらず、信号方式の変換手段のコストが低いためである。使用者が磁気記録再生装置の映像信号入力端子１からＮＴＳＣ方式の信号を入力し、映像信号出力端子１０をＰＡＬ方式のＴＶ等に接続する場合には、映像信号出力端子１０に疑似ＰＡＬ方式の信号を出力させる。このために使用者は選択手段２においてＮＴＳＣ方式の信号入力、疑似ＰＡＬ方式の信号出力の組合せを選択する。選択手段２から第１の制御信号３を出力し第１の変換手段７に供給する。記録系の場合は磁気記録テープ５にＮＴＳＣ方式の信号を記録することを目的とする。この為、映像信号入力端子１からＮＴＳＣ方式の信号を入力する。記録手段４ではこのＮＴＳＣ方式の信号を入力し記録信号に変換した後に磁気記録テープ５に記録する。再生系の場合はＮＴＳＣ方式の信号が記録された磁気記録テープ５を再生し、これを疑似ＰＡＬ方式の信号に変換して出力することを目的とする。この為、再生手段６により磁気記録テープ５に記録されたＮＴＳＣ方式の信号を再生する。第１の変換手段７では再生したＮＴＳＣ方式の信号を第１の制御信号３によりＮＴＳＣ方式から疑似ＰＡＬ方式に変換する。出力切替手段８では第２の制御信号９の制御により、再生系の場合は第１の変換手段７の出力が供給されるｂ端子とｃ端子を接続し、疑似ＰＡＬ方式の信号を映像信号出力端子１０に出力する。従ってＰＡＬ方式のＴＶ等で映像を色が付いた状態で見ることが出来る。Ｅ‐Ｅ系の場合は映像信号入力端子１から入力するＮＴＳＣ方式の信号を疑似ＰＡＬ方式の信号に変換して出力することを目的とする。しかし、出力切替手段８では第２の制御信号９の制御により映像信号入力端子１からのＮＴＳＣ方式の信号が供給されるａ端子とｃ端子を接続し、ＮＴＳＣ方式の信号をそのまま映像信号出力端子１０に出力する。従ってＰＡＬ方式のＴＶ等では映像を色が付いた状態で見ることが出来ない。
【０００５】
次に、第２の従来の磁気記録再生装置の映像信号入出力部について図５を用いて説明する。図５は第２の従来の磁気記録再生装置の映像信号入出力部の構成を示すブロック図である。第２の従来の磁気記録再生装置の映像信号入出力部は第１の従来の磁気記録再生装置の映像信号入出力部を改善したものである。１は第１の信号方式を有する映像信号を入力する映像信号入力端子、２は変換前の第１の信号方式及び変換後の第２の信号方式を選択するための選択手段、３は選択手段２での選択内容出力である第１の制御信号、４は後述する第２の変換手段１１の出力を後述する磁気記録テープ５に記録する記録手段、５は磁気記録テープ、６は磁気記録テープ５に記録された記録信号を再生する再生手段、７は第１の制御信号３の制御により再生手段６の出力を第１の信号方式から第２の信号方式に変換する第１の変換手段、８は後述する第２の変換手段１１の出力を第１の端子であるａ端子に供給し第１の変換手段７の出力を第２の端子であるｂ端子に供給し第３の端子であるｃ端子にはＥ‐Ｅ系の場合はａ端子に供給される信号を出力し再生系の場合はｂ端子に供給される信号を出力するようになした出力切替手段、９は使用者の意思に基づき出力切替手段８での切替を制御する第２の制御信号、１０は出力切替手段８の出力を出力する映像信号出力端子、１１は第１の制御信号３の制御により映像信号入力端子から入力する映像信号を第１の信号方式から第２の信号方式に変換する第２の変換手段である。
【０００６】
以下その動作について説明する。ここでは第１の信号方式をＮＴＳＣ方式、又第２の信号方式を疑似ＰＡＬ方式とする。使用者が磁気記録再生装置の映像信号入力端子１からＮＴＳＣ方式の信号を入力し、映像信号出力端子１０をＰＡＬ方式のＴＶ等に接続する場合には、映像信号出力端子１０に疑似ＰＡＬ方式の信号を出力させる。このために使用者は選択手段２においてＮＴＳＣ方式の信号入力、疑似ＰＡＬ方式の信号出力の組合せを選択する。選択手段２からは第１の制御信号３を出力し第１の変換手段７及び第２の変換手段１１に供給する。再生系の場合は第１の従来の磁気記録再生装置の映像信号入出力部の場合と同じくＰＡＬ方式のＴＶ等で映像を色が付いた状態で見ることが出来る。Ｅ‐Ｅ系の場合は映像信号入力端子１からＮＴＳＣ方式の信号を入力し、第２の変換手段１１でＮＴＳＣ方式の信号をＮＴＳＣ方式から疑似ＰＡＬ方式に変換し、出力切替手段８では第２の変換手段１１の出力をａ端子に供給し第２の制御信号９の制御によりａ端子とｃ端子を接続し、疑似ＰＡＬ方式の信号を映像信号出力端子１０に出力する。従って第１の従来の磁気記録再生装置の映像信号入出力部の場合とは異なり、ＰＡＬ方式のＴＶ等で映像を色が付いた状態で見ることが出来る。記録系の場合は映像信号入力端子１からＮＴＳＣ方式の信号を入力し第２の変換手段１１でＮＴＳＣ方式の信号をＮＴＳＣ方式から疑似ＰＡＬ方式に変換し、第２の変換手段１１の出力を記録手段４に入力し磁気記録テープ５に記録することになる。しかし、疑似ＰＡＬ方式は規格外の方式である為、ＮＴＳＣ方式用あるいはＰＡＬ方式用の記録手段４では記録ができない、あるいは正規の記録が保証されない。
【０００７】
【発明が解決しようとする課題】
しかしながら、上述の通り第１の従来の磁気記録再生装置の映像信号入出力部の構成では、映像信号入力端子１からＮＴＳＣ方式の信号を入力しＥ‐Ｅ系で映像信号出力端子１０に出力し映像信号出力端子１０をＰＡＬ方式のＴＶ等に接続する場合には、映像を色が付いた状態で見ることが出来ないという問題点を有していた。また、第２の従来の磁気記録再生装置の映像信号入出力部の構成では、記録手段４は第２の変換手段１１の出力である疑似ＰＡＬ方式の信号を入力する。しかし、疑似ＰＡＬ方式は規格外の方式である為、ＮＴＳＣ方式用あるいはＰＡＬ方式用の記録手段４では記録ができない、あるいは正規な記録が保証されないという問題点を有していた。
【０００８】
本発明は上記従来の問題点を解決するもので、ＮＴＳＣ方式の信号を入力する場合にＥ‐Ｅ系ではＮＴＳＣ方式の信号を疑似ＰＡＬ方式の信号に変換して出力することにより映像信号出力端子１０をＰＡＬ方式のＴＶ等に接続する場合に映像を色が付いた状態で見ることができ、記録系ではＮＴＳＣ方式の信号を磁気記録テープ５に記録することにより、正規な記録を行うことができる磁気記録再生装置を提供することを目的とする。
【０００９】
【課題を解決するための手段】
この目的を達成するために本発明の磁気記録再生装置は、第１の信号方式を有する映像信号を入力する映像信号入力端子と、映像信号入力端子から入力する映像信号を第１の信号方式から第２の信号方式に変換する第２の変換手段と、第２の変換手段の出力を第４の端子に供給し映像信号入力端子から入力する映像信号を第５の端子に供給し第６の端子にはＥ‐Ｅ系の場合は第４の端子に供給される信号を出力し記録系の場合は第５の端子に供給される信号を出力するようになした信号切替手段と、信号切替手段の出力を磁気記録テープに記録する記録手段と、磁気記録テープに記録された記録信号を再生する再生手段と、再生手段の出力を第１の信号方式から第２の信号方式に変換する第１の変換手段と、信号切替手段の出力を第１の端子に供給し再生手段の出力を第２の端子に供給し第３の端子にはＥ‐Ｅ系の場合は第１の端子に供給される信号を出力し再生系の場合は第２の端子に供給される信号を出力するようになした出力切替手段と、出力切替手段の出力を出力する映像信号出力端子とを備えた構成を有している。
【００１０】
この構成によって、第２の信号方式が、正規な方式である第３の信号方式を疑似化したものである場合に、第１の信号方式を有する映像信号を入力する場合にＥ‐Ｅ系では第１の信号方式を第２の信号方式に変換して出力することにより映像信号出力端子を第３の信号方式のＴＶ等に接続する場合に映像を色が付いた状態で見ることができ、記録系では第１の信号方式を有する映像信号を磁気記録テープに記録することにより、正規な記録を行うことができる。
【００１１】
【発明の実施の形態】
本発明の請求項１記載の発明は、第１の信号方式を有する映像信号を入力する映像信号入力端子と、映像信号入力端子から入力する映像信号を第１の信号方式から第２の信号方式に変換する第２の変換手段と、第２の変換手段の出力を第４の端子に供給し映像信号入力端子から入力する映像信号を第５の端子に供給し第６の端子にはＥ‐Ｅ系の場合は第４の端子に供給される信号を出力し記録系の場合は第５の端子に供給される信号を出力するようになした信号切替手段と、信号切替手段の出力を磁気記録テープに記録する記録手段と、磁気記録テープに記録された記録信号を再生する再生手段と、再生手段の出力を第１の信号方式から第２の信号方式に変換する第１の変換手段と、信号切替手段の出力を第１の端子に供給し第１の変換手段の出力を第２の端子に供給し第３の端子にはＥ‐Ｅ系の場合は第１の端子に供給される信号を出力し再生系の場合は第２の端子に供給される信号を出力するようになした出力切替手段と、出力切替手段の出力を出力する映像信号出力端子とを備えたことを特徴としたものであり、第２の信号方式は、正規な方式である第３の信号方式を疑似化したものである場合に、第１の信号方式を有する映像信号を入力する場合にＥ‐Ｅ系では第１の信号方式を第２の信号方式に変換して出力することにより映像信号出力端子を第３の信号方式のＴＶ等に接続する場合に映像を色が付いた状態で見ることができ、記録系では第１の信号方式を有する映像信号を磁気記録テープに記録することにより、正規な記録を行うことができるという作用を有する。
【００１２】
本発明の請求項２記載の発明は、第１の信号方式を有する映像信号を入力する映像信号入力端子と、映像信号入力端子から入力する映像信号を第１の信号方式から第２の信号方式に変換する第２の変換手段と、映像信号入力端子から入力する映像信号を磁気記録テープに記録する記録手段と、磁気記録テープに記録された記録信号を再生する再生手段と、再生手段の出力を第１の信号方式から第２の信号方式に変換する第１の変換手段と、第２の変換手段の出力を第１の端子に供給し第１の変換手段の出力を第２の端子に供給し第３の端子にはＥ‐Ｅ系の場合は第１の端子に供給される信号を出力し再生系の場合は第２の端子に供給される信号を出力するようになした出力切替手段と、出力切替手段の出力を出力する映像信号出力端子とを備えたことを特徴としたものであり、第２の信号方式は、正規な方式である第３の信号方式を疑似化したものである場合に、第１の信号方式を有する映像信号を入力する場合にＥ‐Ｅ系では第１の信号方式を第２の信号方式に変換して出力することにより映像信号出力端子を第３の信号方式のＴＶ等に接続する場合に映像を色が付いた状態で見ることができ、記録系では第１の信号方式を有する映像信号を磁気記録テープに記録することにより、正規な記録を行うことができるという作用を有する。
【００１４】
以下、本発明の実施の形態について、図を用いて説明する。ここでは第１の信号方式をＮＴＳＣ方式、第２の信号方式を疑似ＰＡＬ方式、そして第３の信号方式を正規のＰＡＬ方式とする。ここで疑似ＰＡＬ方式とは、例えば、クロマバースト信号の構成は正規のＰＡＬ方式と同一だが、クロマ信号の構成あるいは垂直同期周波数あるいは水平同期周波数が正規のＰＡＬ方式と相違するものをいう。正規のＰＡＬ方式でなく疑似ＰＡＬ方式を用いる理由は、疑似ＰＡＬ方式の信号をＰＡＬ方式用のＴＶ等に表示しても画質として正規のＰＡＬ方式の信号を用いた場合と大差がないにもかかわらず、信号方式の変換手段のコストが低いためである。
【００１５】
（実施の形態１）
図１は本発明の実施の形態１における磁気記録再生装置の映像信号入出力部の構成を示すブロック図である。１は第１の信号方式であるＮＴＳＣ方式を有する映像信号を入力する映像信号入力端子、２は変換前のＮＴＳＣ方式及び変換後の第２の信号方式である疑似ＰＡＬ方式を選択するための選択手段、３は選択手段２での選択内容出力であり第１の信号方式としてＮＴＳＣ方式及び第２の信号方式として疑似ＰＡＬ方式を選択指令する第１の制御信号、４は後述する信号切替手段１２の出力を後述する磁気記録テープ５に記録する記録手段、５は磁気記録テープ、６は磁気記録テープ５に記録された記録信号を再生する再生手段、７は第１の制御信号３の制御により再生手段６の出力をＮＴＳＣ方式から疑似ＰＡＬ方式に変換する第１の変換手段、８は映像信号入力端子から入力する映像信号を第１の端子であるａ端子に供給し第１の変換手段７の出力を第２の端子であるｂ端子に供給し第３の端子であるｃ端子にはＥ‐Ｅ系の場合はａ端子に供給する信号を出力し再生系の場合はｂ端子に供給する信号を出力するようになした出力切替手段、８は信号切替手段１２の出力を第１の端子であるａ端子に供給し第１の変換手段７の出力を第２の端子であるｂ端子に供給し第３の端子であるｃ端子にはＥ‐Ｅ系の場合はａ端子に供給される信号を出力し再生系の場合はｂ端子に供給される信号を出力するようになした出力切替手段、９は出力切替手段８での切替を使用者の意思に基づきＥ‐Ｅ系の場合と再生系の場合とに制御する第２の制御信号、１０は出力切替手段８の出力を出力する映像信号出力端子、１１は第１の制御信号３の制御により映像信号入力端子１から入力する映像信号をＮＴＳＣ方式から疑似ＰＡＬ方式に変換する第２の変換手段、１２は後述する第３の制御信号１３の制御により第２の変換手段１１の出力を第４の端子であるｄ端子に供給し映像信号入力端子１から入力する映像信号を第５の端子であるｅ端子に供給し第６の端子であるｆ端子にはＥ‐Ｅ系の場合はｄ端子に供給される信号を出力し記録系の場合はｅ端子に供給される信号を出力するようになした信号切替手段、１３は信号切替手段１２での切替を使用者の意思に基づきＥ‐Ｅ系の場合と記録系の場合とに制御する第３の制御信号である。
【００１６】
以下その動作について説明する。使用者が磁気記録再生装置の映像信号入力端子１からＮＴＳＣ方式の信号を入力し、映像信号出力端子１０をＰＡＬ方式のＴＶ等に接続する場合には、映像信号出力端子１０に疑似ＰＡＬ方式の信号を出力させる。このために使用者は選択手段２においてＮＴＳＣ方式の信号入力、疑似ＰＡＬ方式の信号出力の組合せを選択する。選択手段２から第１の制御信号３を出力し第１の変換手段７及び第２の変換手段１１に供給する。
【００１７】
記録系の場合は磁気記録テープ５にＮＴＳＣ方式の信号を記録することを目的とする。この為、信号切替手段１２では第３の制御信号１３の制御によりｅ端子に供給される映像信号入力端子１からのＮＴＳＣ方式の信号をｆ端子に出力する。記録手段４では信号切替手段１２のｆ端子からの出力を入力し記録信号に変換した後に磁気記録テープ５に記録する。ここで記録信号とは例えば輝度信号をＦＭ変調しクロマ信号を低域変換したものをいう。
【００１８】
再生系の場合はＮＴＳＣ方式の信号が記録された磁気記録テープ５を再生し、これを疑似ＰＡＬ方式の信号に変換して出力することを目的とする。この為、再生手段６により磁気記録テープ５に記録されたＮＴＳＣ方式の信号を再生する。第１の変換手段７では再生したＮＴＳＣ方式の信号を第１の制御信号３によりＮＴＳＣ方式から疑似ＰＡＬ方式に変換する。出力切替手段８では第２の制御信号９の制御により、再生系の場合は第１の変換手段７の出力が供給されるｂ端子とｃ端子を接続し、疑似ＰＡＬ方式の信号を映像信号出力端子１０に出力する。従ってＰＡＬ方式のＴＶ等で映像を色が付いた状態で見ることが出来る。
【００１９】
Ｅ‐Ｅ系の場合は映像信号入力端子１から入力するＮＴＳＣ方式の信号を疑似ＰＡＬ方式の信号に変換して出力することを目的とする。第２の変換手段１１では映像信号入力端子１からのＮＴＳＣ方式の信号を第１の制御信号３によりＮＴＳＣ方式から疑似ＰＡＬ方式に変換する。信号切替手段１２では第３の制御信号１３の制御によりｄ端子に供給される第２の変換手段１１の出力をｆ端子に出力する。出力切替手段８では第２の制御信号９の制御により信号切替手段１２の出力が供給されるａ端子とｃ端子を接続し、疑似ＰＡＬ方式の信号を映像信号出力端子１０に出力する。従ってＰＡＬ方式のＴＶ等で映像を色が付いた状態で見ることが出来る。
【００２０】
以上のように本実施の形態によれば第２の信号方式が正規な方式である第３の信号方式を疑似化したものである場合に、第１の信号方式を有する映像信号を入力し映像信号出力端子を第３の信号方式のＴＶ等に接続するとき、Ｅ‐Ｅ系では第１の信号方式を第２の信号方式に変換して出力することにより映像を色が付いた状態で見ることができ、記録系では第１の信号方式を有する映像信号を磁気記録テープに記録することにより、正規な記録を行うことができる。
【００２１】
（実施の形態２）
図２は本発明の実施の形態２における磁気記録再生装置の映像信号入出力部の構成を示すブロック図である。１は第１の信号方式であるＮＴＳＣ方式を有する映像信号を入力する映像信号入力端子、２は変換前のＮＴＳＣ方式及び変換後の第２の信号方式である疑似ＰＡＬ方式を選択するための選択手段、３は選択手段２での選択内容出力であり第１の信号方式としてＮＴＳＣ方式及び第２の信号方式として疑似ＰＡＬ方式を選択指令する第１の制御信号、４は映像信号入力端子１から入力する映像信号を後述する磁気記録テープ５に記録する記録手段、５は磁気記録テープ、６は磁気記録テープ５に記録された記録信号を再生する再生手段、７は第１の制御信号３の制御により再生手段６の出力をＮＴＳＣ方式から疑似ＰＡＬ方式に変換する第１の変換手段、８は後述する第２の変換手段１１の出力を第１の端子であるａ端子に供給し第１の変換手段７の出力を第２の端子であるｂ端子に供給し第３の端子であるｃ端子にはＥ‐Ｅ系の場合はａ端子に供給する信号を出力し再生系の場合はｂ端子に供給する信号を出力するようになした出力切替手段、９は出力切替手段８での切替を使用者の意思に基づきＥ‐Ｅ系の場合と再生系の場合とに制御する第２の制御信号、１０は出力切替手段８の出力を出力する映像信号出力端子、１１は第１の制御信号３の制御により映像信号入力端子１から入力する映像信号をＮＴＳＣ方式から疑似ＰＡＬ方式に変換する第２の変換手段である。
【００２２】
以下その動作について説明する。使用者が磁気記録再生装置の映像信号入力端子１からＮＴＳＣ方式の信号を入力し、映像信号出力端子１０をＰＡＬ方式のＴＶ等に接続する場合には、映像信号出力端子１０に疑似ＰＡＬ方式の信号を出力させる。このために使用者は選択手段２においてＮＴＳＣ方式の信号入力、疑似ＰＡＬ方式の信号出力の組合せを選択する。選択手段２から第１の制御信号３を出力し第１の変換手段７及び第２の変換手段１１に供給する。
【００２３】
記録系の場合は磁気記録テープ５にＮＴＳＣ方式の信号を記録することを目的とする。この為、記録手段４では映像信号入力端子１からのＮＴＳＣ方式の信号を入力し記録信号に変換した後に磁気記録テープ５に記録する。ここで記録信号とは例えば輝度信号をＦＭ変調しクロマ信号を低域変換したものをいう。
【００２４】
再生系の場合はＮＴＳＣ方式の信号が記録された磁気記録テープ５を再生し、これを疑似ＰＡＬ方式の信号に変換して出力することを目的とする。この為、再生手段６により磁気記録テープ５に記録されたＮＴＳＣ方式の信号を再生する。第１の変換手段７では再生したＮＴＳＣ方式の信号を第１の制御信号３によりＮＴＳＣ方式から疑似ＰＡＬ方式に変換する。出力切替手段８では第２の制御信号９の制御により、再生系の場合は第１の変換手段７の出力が供給されるｂ端子とｃ端子を接続し、疑似ＰＡＬ方式の信号を映像信号出力端子１０に出力する。従ってＰＡＬ方式のＴＶ等で映像を色が付いた状態で見ることが出来る。
【００２５】
Ｅ‐Ｅ系の場合は映像信号入力端子１から入力するＮＴＳＣ方式の信号を疑似ＰＡＬ方式の信号に変換して出力することを目的とする。第２の変換手段１１では映像信号入力端子１からのＮＴＳＣ方式の信号を第１の制御信号３によりＮＴＳＣ方式から疑似ＰＡＬ方式に変換する。出力切替手段８では第２の制御信号９の制御により第２の変換手段１１の出力が供給されるａ端子とｃ端子を接続し、疑似ＰＡＬ方式の信号を映像信号出力端子１０に出力する。従ってＰＡＬ方式のＴＶ等で映像を色が付いた状態で見ることが出来る。
【００２６】
以上のように本実施の形態によれば第２の信号方式が正規な方式である第３の信号方式を疑似化したものである場合に、第１の信号方式を有する映像信号を入力し映像信号出力端子を第３の信号方式のＴＶ等に接続するとき、Ｅ‐Ｅ系では第１の信号方式を第２の信号方式に変換して出力することにより映像を色が付いた状態で見ることができ、記録系では第１の信号方式を有する映像信号を磁気記録テープに記録することにより正規な記録を行うことができる。
【００２７】
（実施の形態３）
図３は本発明の実施の形態３における磁気記録再生装置の映像信号入出力部の構成を示すブロック図である。１は第１の信号方式であるＮＴＳＣ方式を有する映像信号を入力する映像信号入力端子、２は変換前のＮＴＳＣ方式及び変換後の第２の信号方式である疑似ＰＡＬ方式を選択するための選択手段、３は選択手段２での選択内容出力であり第１の信号方式としてＮＴＳＣ方式及び第２の信号方式として疑似ＰＡＬ方式を選択指令する第１の制御信号、４は映像信号入力端子１から入力する映像信号を後述する磁気記録テープ５に記録する記録手段、５は磁気記録テープ、６は磁気記録テープ５に記録された記録信号を再生する再生手段、８は映像信号入力端子１から入力する映像信号を第１の端子であるａ端子に供給し再生手段６の出力を第２の端子であるｂ端子に供給し第３の端子であるｃ端子にはＥ‐Ｅ系の場合はａ端子に供給する信号を出力し再生系の場合はｂ端子に供給する信号を出力するようになした出力切替手段、９は出力切替手段８での切替を使用者の意思に基づきＥ‐Ｅ系の場合と再生系の場合とに制御する第２の制御信号、１０は後述する第２の変換手段１１の出力を出力する映像信号出力端子、１１は第１の制御信号３の制御により出力切替手段８の出力をＮＴＳＣ方式から疑似ＰＡＬ方式に変換する第２の変換手段である。
【００２８】
以下その動作について説明する。使用者が磁気記録再生装置の映像信号入力端子１からＮＴＳＣ方式の信号を入力し、映像信号出力端子１０をＰＡＬ方式のＴＶ等に接続する場合には、映像信号出力端子１０に疑似ＰＡＬ方式の信号を出力させる。このために使用者は選択手段２においてＮＴＳＣ方式の信号入力、疑似ＰＡＬ方式の信号出力の組合せを選択する。選択手段２から第１の制御信号３を出力し第２の変換手段１１に供給する。
【００２９】
記録系の場合は磁気記録テープ５にＮＴＳＣ方式の信号を記録することを目的とする。この為、記録手段４では映像信号入力端子１からのＮＴＳＣ方式の信号を入力し記録信号に変換した後に磁気記録テープ５に記録する。ここで記録信号とは例えば輝度信号をＦＭ変調しクロマ信号を低域変換したものをいう。
【００３０】
再生系の場合はＮＴＳＣ方式の信号が記録された磁気記録テープ５を再生し、これを疑似ＰＡＬ方式の信号に変換して出力することを目的とする。この為、再生手段６により磁気記録テープ５に記録されたＮＴＳＣ方式の信号を再生する。出力切替手段８では第２の制御信号９の制御により、再生系の場合は再生手段６の出力が供給されるｂ端子とｃ端子を接続し、ＮＴＳＣ方式の信号を出力する。第２の変換手段１１では出力切替手段８の出力を第１の制御信号３によりＮＴＳＣ方式から疑似ＰＡＬ方式に変換し、疑似ＰＡＬ方式の信号を映像信号出力端子１０に出力する。従ってＰＡＬ方式のＴＶ等で映像を色が付いた状態で見ることが出来る。
【００３１】
Ｅ‐Ｅ系の場合は映像信号入力端子１から入力するＮＴＳＣ方式の信号を疑似ＰＡＬ方式の信号に変換して出力することを目的とする。出力切替手段８では第２の制御信号９の制御により、Ｅ‐Ｅ系の場合は映像信号入力端子１から入力するＮＴＳＣ方式の信号が供給されるａ端子とｃ端子を接続し、ＮＴＳＣ方式の信号を出力する。第２の変換手段１１では出力切替手段８の出力を第１の制御信号３の制御によりＮＴＳＣ方式から疑似ＰＡＬ方式に変換し、疑似ＰＡＬ方式の信号を映像信号出力端子１０に出力する。従ってＰＡＬ方式のＴＶ等で映像を色が付いた状態で見ることが出来る。
【００３２】
以上のように本実施の形態によれば第２の信号方式が、正規な方式である第３の信号方式を疑似化したものである場合に、第１の信号方式を有する映像信号を入力し映像信号出力端子を第３の信号方式のＴＶ等に接続するとき、Ｅ‐Ｅ系では第１の信号方式を第２の信号方式に変換して出力することにより、映像を色が付いた状態で見ることができ、記録系では第１の信号方式を有する映像信号を磁気記録テープに記録することにより、正規な記録を行うことができる。またＥ‐Ｅ系及び再生系の共用化を図った構成とすることにより、信号方式の変換手段を１個にすることができ経済的にできる
なお、以上の説明では第１の変換手段７と第２の変換手段１１といったようにそれぞれ別々の変換手段を使用しているが、両者は同じ動作内容を持つ手段であり又両者を同時に用いることはないので、同じ変換手段を使用しても良い。
【００３３】
また、以上の説明では第２の信号方式は、正規な方式である第３の信号方式を疑似化したものとして、その例として第２の信号方式を疑似ＰＡＬ方式、そして第３の信号方式を正規のＰＡＬ方式としたが、第２の信号方式を正規な方式である第３の信号方式と同じものにしても良い。
【００３４】
また、第１の信号方式としてＮＴＳＣ方式、第２の信号方式として疑似ＰＡＬ方式、第３の信号方式としてＰＡＬ方式を例として説明したが、これらに限ったものではなく第１の信号方式として他にＰＡＬ方式あるいはＳＥＣＡＭ方式、第２の信号方式として他に疑似的なＮＴＳＣ方式あるいは疑似的なＳＥＣＡＭ方式、第３の信号方式として他にＮＴＳＣ方式あるいはＳＥＣＡＭ方式であっても良い。
【００３５】
【発明の効果】
以上のように本発明は、第１の信号方式例えばＮＴＳＣ方式を有する映像信号を入力する場合にＥ‐Ｅ系では第１の信号方式を第２の信号方式例えば疑似ＰＡＬ方式に変換して出力することにより映像信号出力端子を第３の信号方式例えばＰＡＬ方式のＴＶ等に接続する場合に映像を色が付いた状態で見ることができ、記録系では第１の信号方式を有する映像信号を磁気記録テープに記録することにより、正規な記録を行うことができるという優れた効果が得られる。
【図面の簡単な説明】
【図１】本発明の実施の形態１における磁気記録再生装置の映像信号入出力部の構成を示すブロック図
【図２】本発明の実施の形態２における磁気記録再生装置の映像信号入出力部の構成を示すブロック図
【図３】本発明の実施の形態３における磁気記録再生装置の映像信号入出力部の構成を示すブロック図
【図４】第１の従来の磁気記録再生装置の映像信号入出力部の構成を示すブロック図
【図５】第２の従来の磁気記録再生装置の映像信号入出力部の構成を示すブロック図
【符号の説明】
１  映像信号入力端子
４  記録手段
５  磁気記録テープ
６  再生手段
７  第１の変換手段
８  出力切替手段
９  第２の制御信号
１０  映像信号出力端子
１１  第２の変換手段
１２  信号切替手段
１３  第３の制御信号
【図１】
0003633239.tif 000002
【図２】
0003633239.tif 000003
【図３】
0003633239.tif 000004
【図４】
0003633239.tif 000005
【図５】
0003633239.tif 000006